(57)【要約】【目的】  ケース内にゴミが溜まると、回転機構に不具合が生じたりテープや目盛りがキズ付いたりして測定に影響が出ることも少なくない。また、ゴミを掃除するためにケースを開ける者もいて危険であった。従って、誰もが安全に且つ容易にケース内に溜まったゴミを清掃することができる巻尺を提供することを目的とする。【解決手段】  ケース１の側壁２に、開閉自在の蓋４を設けた開口３を形成し、また、後壁５に、開閉自在の蓋７を設けた開口６を形成して、側壁２の開口３から水１３を流し入れ、ケース１内に溜まったゴミを後壁５の開口６から水（排水１４）と共にケース１の外に排出する。これにより、定期的にまたは一日の作業が終了した後でも簡単にケース１内のゴミを掃除することができる。【選択図】  図１
2005181024.tif 000002
【特許請求の範囲】
【請求項１】
ケース内に立設する軸に、テープを周囲に巻回する回転ドラムを軸支し、この回転ドラムにテープを巻き込み方向に付勢する付勢手段を備えた巻尺において、少なくともケースの側壁と後壁に開口が形成され、且つそれらの開口に蓋体が開閉自在に設けられていることを特徴とする巻尺
【請求項２】
前記側壁の開口が側壁のほぼ全域に及ぶ範囲に形成されていることを特徴とする請求項１の巻尺
【請求項３】
前記側壁の蓋体の一部または全部が柔軟素材で被覆されていることを特徴とする請求項１の巻尺
【請求項４】
前記柔軟素材に適宜の骨材が埋設または添設されていることを特徴とする請求項３の巻尺
【請求項５】
前記側壁の蓋体がケース面とほぼ面一またはケース面より突出していることを特徴とする請求項１の巻尺
【請求項６】
前記側壁の蓋体に、ケース内に立設する軸の先端が支持されていることを特徴とする請求項１の巻尺
【請求項７】
前記後壁の開口が底壁の境界付近に形成されていることを特徴とする請求項１の巻尺
【請求項８】
前記後壁の蓋体の一部または全部が柔軟素材で被覆されていることを特徴とする請求項１の巻尺
【請求項９】
前記後壁の蓋体がケース面とほぼ面一またはケース面より突出していることを特徴とする請求項１の巻尺
【請求項１０】
前記後壁の蓋体の外向面にブリッジが架設され、且つそのブリッジの下方に少なくともストラップの紐が通過できる隙間があることを特徴とする請求項１の巻尺
【請求項１１】
前記開口に、少なくとも開口縁の２箇所を結ぶブリッジが架設されていることを特徴とする請求項１の巻尺
【請求項１２】
前記回転ドラムの少なくともテープ巻回部の側壁に通孔が形成されていることを特徴とする請求項１の巻尺
【請求項１３】
少なくともテープおよび付勢手段が防錆に有利な素材から形成されていることを特徴とする請求項１の巻尺
【発明の詳細な説明】
【技術分野】
【０００１】
本発明は、巻尺に関し、特にケース内を清掃することができる巻尺に関するものである。
【背景技術】
【０００２】
従来、巻尺はその名称が示す通り、ケース内に測定用のテープを何層にも巻いた状態で収納し、測定の際に必要な長さのテープを引き出して測定する。
テープの巻回およびその収納は、ケース内の軸に軸支された回転ドラムに巻回されて収納され、また、その回転ドラムはそれに内装するコイル状のバネによって常にテープの巻き取り方向に付勢されている。すなわち、引き出されたテープは自動的にケース内の回転ドラムに巻回収納される。
【０００３】
このように、巻尺は回転機構を有する測定機器であり、また、テープに表示されている目盛りはＪＩＳ規格に則って表示された極めて正確なものである。
従って、巻尺はゴミの侵入を非常に嫌うもので、特にテープ出入口からのゴミの侵入を可能な限り阻止しようと、その開口に備えるテープの衝撃緩衝装置の構造等を工夫してゴミの侵入を防止している。
【発明の開示】
【発明が解決しようとする課題】
【０００４】
しかし、テープの収納と共にゴミがケース内に侵入し、いつしかそのゴミがケースと回転ドラムとの隙間に入り込み回転機構に不具合が生じたり、また、溜まったゴミによってテープや目盛りがキズ付いたりすることもあって測定作業に多大な影響が出ることも少なくないのである。
そして、侵入したゴミをケースから取り出そうとしても、ケースがゴミの侵入を防ぐ構造となっているので、容易にゴミ取り出すことができないのである。
【０００５】
さらに、その侵入したゴミを取り出そうとして巻尺を分解する者もおり、巻尺の構造を熟知しない者が分解することによってテープ等が飛び出して思わぬケガをすることもある。
従って、本発明は上述した問題点に鑑みてなされたものであり、誰もが安全に且つ容易にケース内に溜まったゴミを清掃することができる巻尺を提供することを目的とするものである。
【課題を解決するための手段】
【０００６】
本発明の要旨とするところは、ケース内に立設する軸に、テープを周囲に巻回する回転ドラムを軸支し、この回転ドラムにテープを巻き込み方向に付勢する付勢手段を備えた巻尺において、少なくともケースの側壁と後壁に開口が形成され、且つそれらの開口に蓋体が開閉自在に設けられていることを特徴とする巻尺である。
【０００７】
本発明の巻尺を詳しく説明すると、本巻尺は、ケース内に溜まったゴミを掃除できる巻尺であり、少なくともケースの側壁と後壁に開口を有する。
ケースとは、普通左右の半ケースが合わされてなる測定用のテープを収容する部材であり巻尺の本体でもある。そのケースは、樹脂素材あるいは金属素材から形成されており、ケース内の側壁に軸が立設され、その軸に目盛りが印刷された測定用のテープを周囲に巻回した回転ドラムが軸支されている。
【０００８】
その回転ドラムの内部にはテープを巻き取るためのコイル状のバネが設けられており、テープは巻き取り方向に付勢されている。そして、テープおよび付勢手段すなわちテープを巻き取るためのコイル状のバネが防錆に有利な素材で形成されている巻尺もあり、テープとコイルバネがステンレス等の素材で形成されていたり、また、鉄製のテープに樹脂等によるコーティングや被覆を行って防錆しているものもある。さらには、テープを繊維によって形成しているものもある。
【０００９】
そして、回転ドラムのテープを巻回する巻胴の両側に、テープの積層方向に形成されている側壁に通孔を形成してもよい。また、その巻胴の内方のテープ巻取用のコイルバネの収容部に蓋体が設けられているものは、その蓋体に通孔を形成してもよい。
側壁また蓋体に形成する通孔の形状や数も特に限定するものではないが、回転ドラムの強度が低下しない範囲でなるべく多く形成するのがよい。
【００１０】
テープは、ケースの下方に設けられているテープ出入口から出入りしており、また、テープの巻き取り終了の際にはテープ先端に有する係止片がテープ出入口に係止することにより、テープのケース内への引き込まれが阻止される。
そして、テープ出入口には係止片の衝突エネルギーを緩和（吸収作用も含む）する衝撃緩衝部材が設けられているのが普通である。
【００１１】
そのテープ出入口が設けられている壁がケースの前壁であり、前壁はテープ出入口から上方に立ち上がってケースの頂部に至る。その頂部を境に立ち下がる壁がケースの後壁となり、後壁の下方部と前壁の下方部を結ぶ壁がケースの底壁である。そして、各壁の同一側を結ぶ壁がケースの側壁である。さらに、ケースによっては前壁の上方部と後壁の上方部を結ぶ略水平の天壁を有するケースもある。
【００１２】
ケースの側壁に形成する開口は、側壁の適宜の部位に形成すればよく、その大きさや形状また形成する数等も特に限定するものではないが、具体的には、側壁のほぼ全域に及ぶ範囲を開口とするのがよい。また、開口はケース両側の側壁に設けてもよい。
そして、開口の径は回転ドラムの径よりも小さくすることにより、開口から回転ドラムが飛び出すことがない。勿論、開口からの回転ドラムの飛び出しを阻止する手段（部材／構造）を設けることにより、開口の径を回転ドラムの径よりも大きくできる。
【００１３】
ケースの後壁に形成する開口は、後壁の適宜の部位に形成すればよく、その大きさや形状また形成する数等も特に限定するものではないが、具体的な部位としては後壁の下方に形成するのがよい。特望ましくは、後壁と底壁の境界付近に形成するのがよい。
【００１４】
側壁また後壁に形成する開口は、その大きさによって少なくとも開口縁の２箇所を結ぶブリッジを横架してもよい。すなわち、開口に設ける蓋体の素材（柔軟材／硬質材）によって、蓋体のケース内への押し込まれをブリッジで防止するようにしてもよい。また、ブリッジはケースの補強を目的として、蓋体の素材に関係なく設けてもよい。
【００１５】
側壁と後壁の開口に設けている蓋体は、開口を開閉できるものであればどのようなものでもよく、形状や開閉方法等も特に限定するものではないが、開口を開いた際に蓋体が脱落しないようにしておくのがよい。具体的には、紐等で蓋体とケースとを連結したり、また、蓋体が開閉できるように蓋体とケースとを直接的にまたは間接的に連結すればよい。
【００１６】
蓋体は、適当な装着手段によってケースの開口に装着できればよく、例えば、蓋体の外周壁に形成したネジと開口の内周壁または開口周縁付近に形成する突条に形成したネジの螺合によって装着させたり、また、蓋体と開口内または開口周縁付近のケースとが嵌合できるようにしてもよい。勿論、公知の形態による蓋体の装着方法を用いてもよい。さらには、蓋体とケースとの装着解除を、何らかの道具（工具）を用いて行うような構造としてもよい。
【００１７】
蓋体は、単体また複数の部材から構成してもよい。蓋体の素材も特に限定するものではなく、ケースと同様な硬質素材で形成したり、樹脂等の柔軟性を有する素材で形成してもよい。特に、側壁の開口を側壁のほぼ全域とした場合は、適当な硬質素材で形成するのがよい。しかして、エラストマ等の柔軟素材で形成する場合は、その柔軟素材に適当な硬質素材の骨材を埋設または添設するのがよい。
【００１８】
そして、側壁の蓋体は、蓋体の外向面をケース面とほぼ面一またはケース面より突出させるのがよい。また、後壁の蓋体も、その蓋体の外向面をケース面とほぼ面一またはケース面より突出させるのがよい。勿論、側壁また後壁の蓋体の外向面はケース面より後退した位置でもよい。
【００１９】
また、側壁の蓋体は、その形態によってケース内に立設する回転ドラムを軸支する軸の先端を支持できるようにしてもよい。その支持形態は軸を支持できればどのような形態でもよく、具体的には、軸の先端をケース内の側壁に設けた係合部に係着（嵌合等）させるようにすればよい。
【００２０】
後壁の蓋体は、単に開口を塞ぐためのものであってもよいが、その蓋体の外向面にブリッジを架設し、そのブリッジの下方に少なくともストラップの紐が通過できる隙間を設けてもよい。すなわち、ブリッジに蓋体を開閉するためのツマミとストラップを取り付けるフックの両方を兼用させるようにしてもよい。
【００２１】
従って、本発明の巻尺は以上のような構造であるので、ケースの側壁と後壁に形成する開口の蓋体を開けて、水やエアーによってケース内に溜まっているゴミをケースの外に排出することができる。
水の場合は、側壁または後壁の開口から水を勢いよくケース内に流し入れる。これにより、側壁の開口から後壁の開口に向かって、または、後壁の開口から側壁の開口に向かって水が流れ、その水の流れによってケース内に溜まっているゴミが水と共にケースの外に排出される。
【００２２】
また、側壁の開口または後壁の開口を開けて、ケース内に水を注入しながらケースを適当にシェイクし、次に、まだ開けていない開口の蓋を開けて、側壁または後壁の開口から水を勢いよくケース内に流し入れる。これにより、シェイクによって剥がし落とされたゴミが、水と共に後壁または側壁の開口からケースの外に排出される。
【００２３】
エアーの場合は、側壁または後壁の開口からエアーを勢いよくケース内に吹き入れる。これにより、側壁の開口から後壁の開口に向かって、または、後壁の開口から側壁の開口に向かってエアーが流れ、そのエアーの流れによってケース内に溜まっているゴミがエアーと共にケースの外に排出される。
さらには、水の流れまたエアーの流れはテープの出入口の開口にも向い、その際、テープ出入口に設けられている衝撃緩衝装置に付着するゴミも剥がして、そのゴミは水またはエアーと共にケースの外に排出される。
そして、回転ドラムのテープの巻胴またコイルバネの収容部の蓋体に通孔を形成するものは、テープまたコイルバネの水切れが促進される。
【発明の効果】
【００２４】
本発明の巻尺は、以上のように構成されているので、水またはエアーによってケース内に溜まっているゴミを誰もが安全に且つ容易に清掃することができる。
従って、定期的にあるいは一日の作業が終了した後でも簡単にケース内のゴミの掃除を行うことができることから、特に、塵埃が多く舞う土木現場で使用される巻尺の寿命が飛躍的に延び、これによって巻尺の買い替えサイクルも延長されて買い替えのための出費を低減できる。そして、製品の廃棄数も減少することから環境にも優しい製品となる。
【発明を実施するための最良の形態】
【００２５】
本発明の巻尺を以下図面に従って説明すると、図１は、本発明に係る巻尺を示す斜視図であり、１は巻尺のケース、２はケース１の側壁、３は側壁２に形成された開口、４は開口３に設けている蓋、４１は蓋４を開く際のツマミである。
５はケース１の後壁、６は後壁５に形成された開口、７は開口６に設けている蓋、７１は蓋７を開く際のツマミである。また、本図では開口３／６から見える回転ドラム等の内装部材は図示していない。１１はケース１の底壁、９はテープ、９１は係止片である。
図２は、巻尺の側面図であり、図３は、巻尺の後面図である。
【００２６】
図４は、巻尺の一部拡大側面図であり、後壁５の開口６に設けられた蓋７の開閉用のツマミ７１ａがブリッジ状になっているものであって、そのツマミ７１ａがストラップ２３のフックを兼用するようになっているものである。
【００２７】
図５および図６は、巻尺の一部拡大正面図であり、側壁２の開口３に設けられる蓋４の開口３との装着形態を示す。図５は、開口３の内周壁に形成されたネジ３２と蓋体４の外周壁に形成されたネジ４２が螺合する形態のものである。
図６は、開口３の周囲に形成された突状３３の外周壁に形成されたネジ３２と蓋体４の内周壁に形成されたネジ４２が螺合する形態のものである。
【００２８】
図７は、側壁の蓋体の一形態を示す図であり、蓋４の内壁４３に、蓋４を装着した際に軸２１の先端と係合する係合部４４を設けたものである。
図８は、図７の蓋体の装着状態を示す図であり、蓋４の装着によって蓋４の内壁４３の係合部４４の凹所４５が軸２１の先端に嵌まって軸２１を保持する。
図９は、図８の係合部と軸との嵌合状態の拡大図であり、蓋４の内壁４３の係合部４４の凹所４５が軸２１の先端に嵌まる。２２は軸２１に形成するコイルバネ１９の内端が係着されるスリットである。
【００２９】
図１０は、側壁の開口の一例を示す巻尺の側面図であり、本形態は、側壁２のほぼ全域に及ぶ範囲に開口３を形成するものである。本図の場合は、図７に示す形態の蓋４を装着することによって軸２１が保持できる。
【００３０】
図１１は、側壁の開口の一例を示す巻尺の側面図であり、本形態は、側壁２のほぼ全域に及ぶ範囲に開口３を形成すると共に、開口３内にブリッジ３１を形成するものである。本図の場合は、軸２１はブリッジ３１で保持しているので、蓋４による軸２１の保持は必要ない。また、本図は、開口３の周縁に突状３３を形成したものである。
【００３１】
図１２は、回転ドラムの一例を示す図であり、１５は回転ドラム、１６はテープ９が巻回される巻胴、１７はテープ９の横ズレを防止するための側壁、１８はテープ９を巻き込み方向に付勢するためのコイルバネ１９を収容するコイルバネ収容部、１９はコイルバネで、その内端が軸２１に係着されまた外端がテープ９の内端また巻胴１６に係着されている。２０はコイルバネ収容部１８の蓋、２１は回転ドラム１５を支持する軸、２２が側壁１７と蓋２０に形成する通孔である。
【００３２】
図１３は、水によるケース内の洗浄方法の一例を示す図であり、ケース１の側壁２の蓋４と後壁５の蓋７を開けて、側壁２の開口３から水１３を勢いよくケース１内に流し入れる。また、必要に応じてケース１をシェイクする。
側壁２の開口３から入った水１３はケース１内のゴミを洗い流して後壁５の開口６からゴミと共に排出（排水１４）される。また、テープ出入口８１からも排出（排水１４）される。
【図面の簡単な説明】
【００３３】
【図１】本発明に係る巻尺を示す斜視図
【図２】巻尺の側面図
【図３】巻尺の後面図
【図４】巻尺の一部拡大側面図
【図５】巻尺の一部拡大正面図
【図６】巻尺の一部拡大正面図
【図７】側壁の蓋体の一形態を示す図
【図８】図７の蓋体の装着状態を示す図
【図９】図８の係合部と軸との嵌合状態の拡大図
【図１０】側壁の開口の一例を示す巻尺の側面図
【図１１】側壁の開口の一例を示す巻尺の側面図
【図１２】回転ドラムの一例を示す図
【図１３】水によるケース内の洗浄方法の一例を示す図
【符号の説明】
【００３４】
１−ケース，２−側壁，３−開口，３１−ブリッジ，３２−ネジ，３３−突条，４−蓋，４１−ツマミ，４２−ネジ，４３−係合部，５−後壁，６−開口，７−蓋，７１／７１ａ−ツマミ，８−前壁，８１−テープ出入口，９−テープ，９１−係止片，１０−ブレーキレバー，１１−底壁，１２−ホース，１３−水，１４−排水，１５−回転ドラム，１６−巻胴，１７−側壁，１８−コイルバネ収容部，１９−コイルバネ，２０−蓋，２１−軸，２２−スリット，２３−通孔，２４−ストラップ
【図１】
2005181024.tif 000003
【図２】
2005181024.tif 000004
【図３】
2005181024.tif 000005
【図４】
2005181024.tif 000006
【図５】
2005181024.tif 000007
【図６】
2005181024.tif 000008
【図７】
2005181024.tif 000009
【図８】
2005181024.tif 000010
【図９】
2005181024.tif 000011
【図１０】
2005181024.tif 000012
【図１１】
2005181024.tif 000013
【図１２】
2005181024.tif 000014
【図１３】
2005181024.tif 000015